(57)【要約】      （修正有）【課題】１種類のキャップで、床面に凹凸があっても容易に天板を水平にすることができ、テーブルの運搬も容易な、テーブル用脚キャップを提供する。【解決手段】半硬質プラスチック製の角型キャップ１の底面１１における短冊状中央部を接床面１３とする。接床面１３の左縁から外方に上向きの傾斜底面１５を形成して角型キャップ１の正・背面板１７ａの下方一部を傾斜状にする。角型キャップ１の下方に１個のコロ３を左右回動自在に軸着するとともにコロ３の一部を傾斜底面１５から表出し、しかも表出部分３ａを常時は接床面１３より上方に位置させる。接床面１３の右縁から内側面板１８に向けてへこみ部１６を形成し、へこみ部１６にアジャスタ４を取付ける。【選択図】図１
2015039600.tif 000002
【特許請求の範囲】
【請求項１】
半硬質プラスチック製の角型キャップの底面における短冊状中央部を接床面とし、前記接床面の左縁から外方に上向きの傾斜底面を形成して前記角型キャップの正・背面板の下方一部を傾斜状にし、前記角型キャップの下方に１個のコロを左右回動自在に軸着するとともに前記コロの一部を前記傾斜底面から表出し、しかも前記表出部分を常時は前記接床面より上方に位置させ、また前記接床面の右縁から内側面板に向けてへこみ部を形成し、前記へこみ部にアジャスタを取付けることを特徴とするテーブル用脚キャップ。
【請求項２】
角型キャップ内で、しかもへこみ部に対応する位置に雌ねじを一体的に螺設し、へこみ部から雄ねじを前記雌ねじに高低調節自在に螺入してアジャスタを形成し、前記雄ねじ頭部の水平面を常時は接床面と同一高さ位置にすることを特徴とする請求項１のテーブル用脚キャップ。
【発明の詳細な説明】
【技術分野】
【０００１】
本発明は家具としてのテーブル、主に幼稚園、保育所、小学校等の子供用施設で用いられるテーブルの脚キャップに関する。
【背景技術】
【０００２】
従来より図８・９で示すように前記テーブルの脚の下端ｅには２個のコロ付きの脚キャップａが密嵌され、運搬時にテーブルの片側を持ち上げ、脚キャップａを傾かせてコロｂ、ｂを接床させて、押したり引いたりして移行させている。
【０００３】
また登録実用新案３１２２６１１号公報で示されるようにテーブルの脚下端にアジャスタを取付け、高低調節自在にしたものが知られている。
【先行技術文献】
【特許文献】
【０００４】
【特許文献１】登録実用新案３１２２６１１号公報
【非特許文献】
【０００５】
【非特許文献１】なし
【発明の概要】
【発明が解決しようとする課題】
【０００６】
床面は必ずしも完全に水平であるとは限らず、部分的に僅かな凹凸があったりする。このためテーブルの天板を水平に保持することができない。
【０００７】
従来後例ではアジャスタを高低調節することにより前記欠点を解消できるが、従来前例では前記欠点を解消することができない。
【０００８】
また特に子供用施設では、テーブルを移動させることが多い。従来前例ではテーブルの天板の片側を持ち上げ、コロｂ、ｂを接床させ、押したり、引いたりして容易にテーブルを移動させることができるが、従来後例では天板の周りを数人で持ち上げなければならず、多くの労力を有し、不都合である。
【０００９】
さらに従来前例では２個のコロを要するのみならず、図８で示すように各コロｂと、前記コロｂの取り囲み部分ｃとに隙間があり、この隙間に服の裾や床面に落下している紙、塵埃等を巻き込み、コロｂの回動に支障をきたすことがある。
【００１０】
本発明は一種類の脚キャップで前記欠点を全て解消しようとするものである。
【課題を解決するための手段】
【００１１】
本発明の第１の手段は、半硬質プラスチック製の角型キャップの底面における短冊状中央部を接床面とし、前記接床面の左縁から外方に上向きの傾斜底面を形成して前記角型キャップの正・背面板の下方一部を傾斜状にし、前記角型キャップの下方に１個のコロを左右回動自在に軸着するとともに前記コロの一部を前記傾斜底面から表出し、しかも前記表出部分を常時は前記接床面より上方に位置させ、また前記接床面の右縁から内側面板に向けてへこみ部を形成し、前記へこみ部にアジャスタを取付けることを特徴とするものである。
【００１２】
本発明の第２の手段は、第１の手段に加えて、角型キャップ内で、しかもへこみ部に対応する位置に雌ねじを一体的に螺設し、へこみ部から雄ねじを前記雌ねじに高低調節自在に螺入してアジャスタを形成し、前記雄ねじ頭部の水平面を常時は接床面と同一高さ位置にすることを特徴とするものである。
【発明の効果】
【００１３】
本発明によれば、一種類の脚キャップをテーブル脚に密嵌するだけで、接床面とアジャスタの頭部水平面により安定よく設置でき、しかも床面に凹凸がある場合には、アジャスタの高低調節により容易にテーブルの天板を水平にすることができる。
【００１４】
また運搬時にはテーブルの片側を持ち上げることによりコロが接床し、押し、引きすることにより極めて容易かつ迅速にテーブルの移行作業をすることができる。
【００１５】
つまり本発明によれば、一種類の脚キャップを脚に密嵌するだけで、床面の凹凸の有無にかかわらず、静止時の安定性および運搬時の容易性の両効果を奏することができる。
【００１６】
さらに脚キャップごとにコロは１個で足り、またコロの表出部分以外は正・背面板と、傾斜底面により被われているので、従来後例のようにコロとその取り囲み部分との隙間に服の裾、床面に落ちている紙や塵埃を巻き込むおそれがないものである。
【図面の簡単な説明】
【００１７】
【図１】図３における本発明のＡ−Ａ断面図。
【図２】本発明を傾斜した状態の正面図。
【図３】本発明の平面図。
【図４】同上の底面図。
【図５】同上の一部を切欠いた左側面図。
【図６】本発明をテーブル脚に取付け、静止した状態を示す正面図。
【図７】同上のテーブルを傾けて移動させた状態を示す正面図。
【図８】従来例の正面図。
【図９】同上のＢ−Ｂ断面図。
【発明を実施するための形態】
【００１８】
半硬質プラスチック、具体的には半硬質ポリエチレン製の角型キャップ１を形成する。この角型キャップ１にテーブル５の角脚５０に密嵌する脚嵌入空間１０を形成する。図４で示すように底面１１の短冊状中央部を接床面１３とし、この接床面１３に間隔をおいて滑り止め用の鋸歯部１２、１２を刻設する。
【００１９】
図１・４・５で示すように接床面１３の左縁から外方に向けて傾斜底面１５、１５を形成して角型キャップ１の正・背面板１７、１７ａの下方一部を接床面１３より上向きの傾斜状にし（図１・２に示す）、図１・４で示すように接床面１３の右縁から内側面板１８に向けてＬ字切欠状のへこみ部１６を形成する。これらの傾斜底面１５と、へこみ部１６とは接床面１３の左右底面部であり、非接床面である。
【００２０】
図１・３で示すように角型キャップ１内で、しかも接床面１３の右縁から脚嵌入空間１０の底部１０ａに後述のコロ３の被い片１９をコロ３との僅かな隙間をおいて形成する。この被い片１９は接床面１３の右縁から立ち上がる略垂直面１９ａ、１／４弧面１９ｂ、空間底部１０ａの水平面１９ｃとを連続して成るものである。
【００２１】
角型キャップ１内で、しかもへこみ部１６に対応する位置に図１・３で示すように丸柱２０ａを形成し、この丸柱２０ａにアジャスタ４用の雌ねじ２を切り、丸柱２０ａの上端と水平面１９ｃとを同一高さ位置にし、丸柱２０ａと水平面１９ｃとを補強リブ２１で連結し、この補強リブ２１の上端面を水平面１９ｃ、丸柱２０ａと同一高さ位置にする。前述のように角型キャップ１の前記各構成部分は半硬質ポリエチレンで一体形成する。
【００２２】
角型キャップ１とは別体のプラスチック製の１個のコロ３を角型キャップ１の被い片１９内に入れ、左右方向に回動自在に軸着し、コロ３の下方一部を傾斜底面１５から表出し、しかも前記表出部分３ａを常時は図１で示すように接床面１３より、やや上方に位置させる。
【００２３】
へこみ部１６から開口している雌ねじ２に角型キャップ１とは別体のアジャスタ４用の雄ねじ４０を雌ねじ２に高低調節自在に螺入する。なお雄ねじ４０の頭頂部は水平面４ａであり、この水平面４ａを常時は接床面１３と同一高さ位置にする。
【００２４】
次に使用法を説明すれば、テーブル５の各角脚５０に角型キャップ１を密嵌する。角型キャップ１は硬質ではなく、半硬質プラスチック製なので、より密に嵌合する。また角脚５０の下端は、図１で示すように水平面１９ｃ、補強リブ２１、丸柱２０ａの上端に当接する。
【００２５】
角型キャップ１の接床面１３と雄ねじ４０の水平面４ａが同一高さであるので両者が接床し、テーブル５の安定性がよい。また床面に凹凸がある場合には例えば図１の仮想線で示すようにアジャスタ４用の雌ねじ４０を螺動して高低調節をする。
【００２６】
テーブル５を運搬するには天板５ａの一端を持ち上げる。このとき図７で示すように他端のコロ３が接床し、接床面１３と水平面４ａは離床する。この状態で天板５ａを押し若しくは引いてテーブル５を移動する。なおコロ３の大部分は外側面板１４、傾斜底面１５および前・後面板１７、１７ａで被蔽されているので裾、紙、塵埃等が入らず、コロ３はスムーズに回動する。
【符号の説明】
【００２７】
１  角型キャップ
２  雌ねじ
３  コロ
３ａ  表出部分
４  アジャスタ
４ａ  水平面
１１  底面
１３  接床面
１４  外側面板
１５  傾斜底面
１６  へこみ部
１７  正面板
１７ａ  背面板
１８  内側面板
４０  雄ねじ
【図１】
2015039600.tif 000003
【図２】
2015039600.tif 000004
【図３】
2015039600.tif 000005
【図４】
2015039600.tif 000006
【図５】
2015039600.tif 000007
【図６】
2015039600.tif 000008
【図７】
2015039600.tif 000009
【図８】
2015039600.tif 000010
【図９】
2015039600.tif 000011